(57)【要約】【課題】肌の見え方をより好適に向上させることができる照明装置を提供する。【解決手段】照明装置１０は、肌色の好ましさ指数ＰＳが８０〜１００、色偏差ｄｕｖが−０．０１〜０、色温度が３０００〜５０００Ｋとなるスペクトル範囲で光を発光する発光部１１を備える。【選択図】図１
2012155906.tif 000002
【特許請求の範囲】
【請求項１】
肌色の好ましさ指数ＰＳが８０〜１００、色偏差ｄｕｖが−０．０１〜０、色温度が３０００〜５０００Ｋとなるスペクトル範囲で光を発光する発光部を備えたことを特徴とする照明装置。
【請求項２】
請求項１に記載の照明装置において、
前記発光部は、平均演色評価数Ｒａが９０以上となるように構成されたことを特徴とする照明装置。
【請求項３】
請求項１又は２に記載の照明装置において、
前記発光部は、４１０〜４７０ｎｍ間に第１のピーク波長が存在し、５８０〜６３０ｎｍ間に第２のピーク波長が存在するように構成されたことを特徴とする照明装置。
【請求項４】
請求項３に記載の照明装置において、
前記発光部は、前記第１のピーク波長よりも長波長側である４７０〜５００ｎｍにかけて発光出力が低下するように構成されたことを特徴とする照明装置。
【発明の詳細な説明】
【技術分野】
【０００１】
本発明は、照明装置に関するものである。
【背景技術】
【０００２】
ＬＥＤ素子等の種々の照明装置では、高効率を重視したものが知られている。このように、高効率を重視した照明装置では、器具の発光効率がよいが、演色性が低く照明装置の光が到達した物や人の肌の色の見え方が忠実でない虞がある。
【０００３】
そこで、高演色性を重視した照明装置として、特許文献１に開示されているように、物や人の肌の色の見え方を忠実させるべく例えば平均演色評価Ｒａと特殊演色評価数Ｎｏ．１５（Ｒ１５）とを考慮したものがある。
【先行技術文献】
【特許文献】
【０００４】
【特許文献１】特開２０１０−１７６９９２号公報
【発明の概要】
【発明が解決しようとする課題】
【０００５】
ところで、上記のような照明装置では、平均演色演色評価数Ｒａと特殊演色評価数Ｎｏ．１５（Ｒ１５）とを高めて人の肌等の色の見え方がより忠実になるような構成とされている。
【０００６】
しかしながら、近年では忠実に肌色が見えることに加えて、好ましい肌色であるように見える照明装置の開発が望まれている。
本発明は、上記課題を解決するためになされたものであって、その目的は、肌の見え方をより好適に向上させることができる照明装置を提供することにある。
【課題を解決するための手段】
【０００７】
上記課題を解決するために、本発明の照明装置は、肌色の好ましさ指数ＰＳが８０〜１００、色偏差ｄｕｖが−０．０１〜０、色温度が３０００〜５０００Ｋとなるスペクトル範囲で光を発光する発光部を備えること特徴とする。
【０００８】
また上記構成において、発光部は、平均演色評価数Ｒａが９０以上となるように構成されることが好ましい。
また上記構成において、発光部は、４１０〜４７０ｎｍ間に第１のピーク波長が存在し、５８０〜６３０ｎｍ間に第２のピーク波長が存在するように構成されることが好ましい。
【０００９】
また上記構成において、発光部は、前記第１のピーク波長よりも長波長側である４７０〜５００ｎｍにかけて発光出力が低下するように構成されることが好ましい。
【発明の効果】
【００１０】
本発明によれば、視認性を向上させることができる照明装置を提供することができる。
【図面の簡単な説明】
【００１１】
【図１】本実施形態における照明装置の概略ブロック図。
【図２】評価実験の実験装置並びに実験方法について説明するための説明図。
【図３】評価実験の実験結果を示すグラフ。
【図４】（ａ）は評価実験による評価値が４より高いものを記したグラフであり、（ｂ）は評価実験による評価値が４．５以上のものを記したグラフ。
【図５】同上における発光部のスペクトルの特性図。
【図６】別例における発光部のスペクトルの特性図。
【図７】別例における発光部のスペクトルの特性図。
【図８】別例における発光部のスペクトルの特性図。
【図９】別例における発光部のスペクトルの特性図。
【図１０】別例における発光部のスペクトルの特性図。
【図１１】別例における発光部のスペクトルの特性図。
【図１２】別例における発光部のスペクトルの特性図。
【図１３】別例における発光部のスペクトルの特性図。
【図１４】別例における発光部のスペクトルの特性図。
【図１５】別例における発光部のスペクトルの特性図。
【図１６】別例における発光部のスペクトルの特性図。
【図１７】別例における発光部のスペクトルの特性図。
【図１８】別例における発光部のスペクトルの特性図。
【図１９】別例における発光部のスペクトルの特性図。
【図２０】別例における照明装置の概略ブロック図。
【図２１】別例における照明装置の概略ブロック図。
【図２２】別例における照明装置の概略ブロック図。
【図２３】別例における照明装置の概略ブロック図。
【発明を実施するための形態】
【００１２】
以下、本発明を具体化した一実施形態を図面に従って説明する。
図１に示すように、本実施形態の照明装置１０は、発光部１１と、この発光部１１を点灯させるための点灯回路１２とを備えている。
【００１３】
発光部１１は、前記点灯回路１２と電気的に接続される１つのＬＥＤ素子１１ａと、このＬＥＤ素子１１ａと所定の空隙を設けた状態で覆うとともに略黄色に発光させる１つの蛍光体１１ｂとで構成されている。そして、点灯回路１２からの電力供給に基づいて、発光部１１は、略白色に点灯するようになっている。
【００１４】
次に、照明装置１０の発光部１１のスペクトル特性について説明する。
本発明者は、発光部１１から照射される光が人の肌の色を好ましく見せるような光とするべく、矢野正らが提唱する日本人女性の肌色の好ましさ指数ＰＳと、色偏差（黒体放射軌跡からのずれ）を表すｄｕｖと、色温度とをパラメーターとして評価実験を行った。
【００１５】
この評価実験では、図２に示すように波長を制御することで自由に発光部１１の光を実現できる装置Ａを用いて、暗室Ｂ内のモデルＭの頬Ｍ１周辺に光を照射し、モデルＭの肌色を様々に実現させ、暗室Ｂ外にいる複数の評価者ＨがモデルＭのそれぞれの肌色に対し、好ましく見えるかどうかを評価した。
【００１６】
また、本評価実験で用いる各パラメーターは次の通りに設定した。
まずＰＳは８０、８５，９０，９５，１００の５段階に設定する。これは、矢野正らが提唱するＰＳの基準値が８０であり、この基準値８０以上とすることとが望ましいためである。ちなみに、ＰＳの算出方法としては、例えば特開平１１―２５８０４７号公報に開示されているように、肌色の好ましさに関する算出評価値Ｐを求めた後に、４×５Ｐから肌色の好ましさ指数ＰＳを算出することができる。
【００１７】
そしてｄｕｖは０、±０．００５、−０．０１の５段階に設定する。また、色温度は、現在使用頻度の高いと思われる、３０００Ｋ、４２００Ｋ、５０００Ｋの３段階に設定する。
【００１８】
そして評価者Ｈに対して、各パラメーターを設定した場合において「非常に好ましい」、「とても好ましい」、「やや好ましい」、「どちらでもない」、「やや好ましくない」、「とても好ましくない」、「非常に好ましくない」の７段階で評価を実施した。
【００１９】
評価実験の結果を図３に示す。図３では、横軸はｄｕｖを示し、縦軸は好ましさの段階を表し、白抜き菱形の折線は色温度３０００Ｋ、白抜き三角の折線は色温度４２００Ｋ、白抜き四角の折線は色温度５０００Ｋを表している。
【００２０】
図３より、ＰＳが８０、８５、９０と比較的低い条件の場合には、ｄｕｖがマイナス側（−０．０１）である方がより評価が高く、ＰＳが９５。１００と比較的高い条件の場合には、ｄｕｖが−０．００５をピークとして評価が高い傾向にあることがわかる。
【００２１】
ここで、前記評価実験に用いた好ましさの段階である「非常に好ましい」〜「非常に好ましくない」の７段階を、順に「７」〜「１」の評価値とした場合に、「４」より高い評価が得られた条件を図４（ａ）に示し、「４．５」以上の評価が得られた条件を図４（ｂ）に示す。
【００２２】
図３より、照明装置１０の発光部１１のスペクトル特性を図４（ａ）に示すような枠線Ｗ１（図４（ａ）において太い黒線で図示）内（肌色の好ましさ指数ＰＳが８０〜１００、色偏差ｄｕｖが−０．０１〜０、色温度が３０００〜５０００Ｋ）とすることで、「４」より高い評価を得ることができることがわかった。
【００２３】
また、図３より発光部１１のスペクトル特性を前述の枠線Ｗ１の範囲内で図４（ｂ）に示す白抜き丸を省いた条件とすることで「４．５」より高い評価を得ることができることがわかる。より具体的には、肌色の好ましさ指数ＰＳが８０〜１００、色偏差ｄｕｖが−０．０１〜０、色温度が３０００〜５０００Ｋの内で次の条件Ｘ１〜条件Ｘ３を含まないことを条件とする。
【００２４】
（条件Ｘ１）ＰＳが８０〜８５で、ｄｕｖが０
（条件Ｘ２）ＰＳが９５でｄｕｖが０
（条件Ｘ３）ＰＳが１００でｄｕｖが−０．０１
上記の条件Ｘ１〜Ｘ３とすることで「４．５」より高い評価を得ることができることがわかった。
【００２５】
次に上記評価実験に則した発光部１１のスペクトル特性の一例を図５に示す。
ちなみに、図５は、ＰＳが８５、ｄｕｖが−０．００８６、色温度４５６８Ｋであるため、前述のスペクトル範囲（枠線Ｗ１）内に収まる条件である。発光部１１は、図５に示すように４１０〜４７０ｎｍ間である略４４０ｎｍにおいて第１のピーク波長Ｐ１を有し、これよりも長波長側で５８０〜６３０ｎｍ間である略６０５ｎｍ近傍において第２のピーク波長Ｐ２を有する構成とされる。なお、発光部１１は、第１のピーク波長Ｐ１における相対スペクトル強度が第２のピーク波長Ｐ２における相対スペクトル強度よりも高い構成とされる。
【００２６】
次に、本実施形態の特徴的な効果を記載する。
（１）発光部１１は、肌色の好ましさ指数ＰＳが８０〜１００間である８５、色偏差ｄｕｖが−０．０１〜０間である−０．００８６、色温度が３０００〜５０００Ｋ間である４５６８Ｋとなるスペクトル特性を有する光を発光する構成とされる。このような構成とすることで、人の肌色を好ましく見せることができる。そして肌が好ましく見えることで、女性はより美しく、高齢者や患者等には健康そうに見せることができる照明装置１０を提供することができる。また、スタジオや舞台等で用いれば、被写体となる人物の肌がより好ましく見え、より美しく撮影をすること等も可能である。
【００２７】
（２）また、ｄｕｖを−０．０１〜０の範囲に抑えていることから、発光部１１を略白色光源とみなすことができ、一般的な空間に使用しても違和感なく用いることができる。
（３）また肌以外に関しても、ｄｕｖがマイナス側とすることで多少の赤みがかかる光とされる。これによっても、肉などの食品の見え方において、より赤みが増して、食品がより美味しく見せることができる。
【００２８】
（４）発光部１１は、４１０〜４７０ｎｍ間に第１のピーク波長Ｐ１が存在し、５８０〜６３０ｎｍ間に第２のピーク波長Ｐ２が存在するように構成される。このような構成とすることで、このようなスペクトル特性とすることで、前述したようにＰＳ値を高めて肌の見え方を向上させることができる。
【００２９】
（５）発光部１１は、第１のピーク波長Ｐ１よりも長波長側である４７０〜５００ｎｍにかけて発光出力が低下するように構成されるため、より確実にＰＳ値を高めることが可能となる。
【００３０】
尚、本発明の実施形態は、以下のように変更してもよい。
・上記実施形態では、第１のピーク波長Ｐ１のスペクトル強度を第２のピーク波長Ｐ２よりも高くなるような構成としたが、これに限らない。例えば図６に示すように第２のピーク波長Ｐ２のスペクトル強度を第１のピーク波長Ｐ１のスペクトル強度よりも高くなるような構成を採用してもよい。図６では、ＰＳが９７、ｄｕｖが−０．００４２であり、色温度が２９６９Ｋを満足するスペクトル特性とされる。なお、ｄｕｖについては、製造上のばらつきを考慮して、ｄｕｖのばらつきの範囲内を±０．００２程度設けることとする。また、色温度に関しても同様に、色温度のばらつきの範囲内を色温度弁別閾から判断し、２９２１〜３０１８Ｋ程度設けることとする。このように図６に示すようなスペクトル特性とすることで色温度が約３０００Ｋ付近である電球色に類似した光源として図１に示す発光部１１を構成することができる。このため、電球色光源が用いられることの多い、住宅やレストラン等において、快適性を向上させることができる。
【００３１】
また、図７に示すようなスペクトル特性としてもよい。図７では、ＰＳが９６であり、ｄｕｖが−０．００５７であり、色温度が４２０７Ｋであることを満足するスペクトル特性である。なお、ｄｕｖについては、製造上のばらつきを考慮して、ｄｕｖのばらつきの範囲内を±０．００２程度設けることとする。また、色温度に関しても同様に、色温度のばらつきの範囲内を色温度弁別閾から判断し、４１１２〜４３０７Ｋ程度設けることとする。このような構成とすることで約４０００Ｋ付近である温白色に類似した光源として図１に示す発光部１１を構成することができる。このため、温白色光源が用いられることの多い、商業施設等においても、快適性を向上させることができる。また、上記構成のような約３０００Ｋの発光部１１と比べて、色温度が高くなることで白色感が増すため、肌の色だけでなく白色感が増すことで、文字が読みやすくなり、本や紙面が見やすくなる。
【００３２】
また、図８に示すようなスペクトル特性としてもよい。図８では、ＰＳが９６であり、ｄｕｖが−０．００４４であり、色温度が５０２６Ｋであることを満足させるスペクトル特性とされる。なお、ｄｕｖについては、製造上のばらつきを考慮して、ｄｕｖのばらつきの範囲内を±０．００２程度設けることとする。また、色温度に関しても同様に、色温度のばらつきの範囲内を色温度弁別閾から判断し、４８９０Ｋ〜５１６８Ｋ程度設けることとする。このような構成とすることで、５０００Ｋ付近である白色の光源として実現させることができるため、白色光源が用いられることの多い、オフィス等においても、快適性を向上させることができる。
【００３３】
また、図１２に示すようなスペクトル特性としてもよい。図１２では、ＰＳが９５であり、ｄｕｖが−０．００５であり、色温度が３０００Ｋであることを満足させるスペクトル特性とされる。
【００３４】
また、図１３に示すようなスペクトル特性としてもよい。図１３では、ＰＳが９５であり、ｄｕｖが−０．００５であり、色温度が４２００Ｋであることを満足させるスペクトル特性とされる。
【００３５】
また、図１４に示すようなスペクトル特性としてもよい。図１４では、ＰＳが９５であり、ｄｕｖが−０．００５であり、色温度が５０００Ｋであることを満足させるスペクトル特性とされる。
【００３６】
また、図１５に示すようなスペクトル特性としてもよい。図１５では、ＰＳが８０であり、ｄｕｖが−０．０１であり、色温度が３０００Ｋであることを満足させるスペクトル特性とされる。
【００３７】
また、図１６に示すようなスペクトル特性としてもよい。図１６では、ＰＳが８５であり、ｄｕｖが−０．０１であり、色温度が４２００Ｋであることを満足させるスペクトル特性とされる。
【００３８】
また、図１７に示すようなスペクトル特性としてもよい。図１７では、ＰＳが１００であり、ｄｕｖが−０．００５であり、色温度が４２００Ｋであることを満足させるスペクトル特性とされる。
【００３９】
また、図１８に示すようなスペクトル特性としてもよい。図１８では、ＰＳが８０であり、ｄｕｖが−０．０１であり、色温度が５０００Ｋであることを満足させるスペクトル特性とされる。
【００４０】
また、図１９に示すようなスペクトル特性としてもよい。図１９では、ＰＳが９０であり、ｄｕｖが−０．００５であり、色温度が５０００Ｋであることを満足させるスペクトル特性とされる。
【００４１】
・上記実施形態では、特に言及していないが平均演色評価数Ｒａが９０以上となる構成が好ましい。平均演色評価数Ｒａ以上のとなるスペクトル特性としては、一例として図９〜図１１に示すようなスペクトル特性が考えられる。
【００４２】
図９では色温度が３０００Ｋ付近とされるとともにＲａ値が９４であることを満足するスペクトル特性を示している。このような特性となるように発光部１１を構成することで、３０００Ｋ付近である電球色光源において、色を正確に見せる（演色性を高める）ことができ、明るさ感を向上に寄与することができる。
【００４３】
図１０では色温度が４０００Ｋ付近とされるとともにＲａ値が９５であることを満足するスペクトル特性を示している。このような特性となるように発光部１１を構成することで、４０００Ｋ付近である温白色光源において、色を正確に見せることができる。
【００４４】
図１１では色温度が５０００Ｋ付近とされるとともにＲａ値が９６であることを満足するスペクトル特性を示している。このような構成となるように発光部１１を構成することで、５０００Ｋ付近である白色光源において、色を正確に見せることができる。
【００４５】
・上記実施形態では、ＬＥＤ素子１１ａと蛍光体１１ｂとの間に所定の空隙を設ける構成としたが、ＬＥＤ素子１１ａに蛍光体を塗布する構成を採用してもよい。
・上記実施形態では、１つのＬＥＤ素子１１ａ及び１つの蛍光体１１ｂにて発光部１１を構成したが、これに限らず、仕様等に合わせて適宜変更してもよい。略白色に点灯する発光部１１の変形例としては、次のような構成が考えられる。但し、本発明が適用可能なものであればこれに限らない。
【００４６】
例えば図２０に示すように、１つのＬＥＤ素子１１ａとこの素子１１ａを覆う１つの蛍光体１１ｂに加えて、前記ＬＥＤ素子１１ａとピーク波長の異なるＬＥＤ素子２０を備えた構成を採用してもよい。
【００４７】
また、図２１に示すように、１つのＬＥＤ素子１１ａとこの素子１１ａを覆う１つの蛍光体１１ｂに加えて、前記ＬＥＤ素子１１ａとピーク波長が略同一のＬＥＤ素子２１ａと前記蛍光体１１ｂとは異なる蛍光体２１ｂとを備えた構成を採用してもよい。
【００４８】
また、図２２に示すように、青色のＬＥＤ素子２２ａ及びこの素子２２ａを覆って赤色に発光させる蛍光体２２ｂと、青色のＬＥＤ素子２３ａ及びこの素子２３ａを覆って緑色に発光させる蛍光体２３ｂと、青色のＬＥＤ素子２４とで発光部１１を構成してもよい。
【００４９】
また、図２３に示すように、青色のＬＥＤ素子２５と、緑色のＬＥＤ素子２６と、赤色のＬＥＤ素子２７とで発光部１１を構成してもよい。
また、透過・拡散フィルタを用いて発光部１１を構成して、例えば図３に示すようなスペクトル特性を満足する構成を採用してもよい。
【符号の説明】
【００５０】
１０…照明装置、１１…発光部、Ｐ１…第１のピーク波長、Ｐ２…第２のピーク波長。
【図１】
2012155906.tif 000003
【図２】
2012155906.tif 000004
【図３】
2012155906.tif 000005
【図４】
2012155906.tif 000006
【図５】
2012155906.tif 000007
【図６】
2012155906.tif 000008
【図７】
2012155906.tif 000009
【図８】
2012155906.tif 000010
【図９】
2012155906.tif 000011
【図１０】
2012155906.tif 000012
【図１１】
2012155906.tif 000013
【図１２】
2012155906.tif 000014
【図１３】
2012155906.tif 000015
【図１４】
2012155906.tif 000016
【図１５】
2012155906.tif 000017
【図１６】
2012155906.tif 000018
【図１７】
2012155906.tif 000019
【図１８】
2012155906.tif 000020
【図１９】
2012155906.tif 000021
【図２０】
2012155906.tif 000022
【図２１】
2012155906.tif 000023
【図２２】
2012155906.tif 000024
【図２３】
2012155906.tif 000025